(57)【要約】      （修正有）【課題】病気、ストレス、加齢、早漏、射精後等心因性、器質性全ての場合の勃起不能、不全状態にあるいずれの男性器であっても装着使用でき、しっかりと性交可能状態形成維持し、あたかも正常勃起者と同様の感覚と能力を持って、互い特に女性が十分満足するまで所望の時間、交接を継続すること可能とする男性性器勃起状態形成保持具を提供する。【解決手段】交接を開始するに当り、未勃起叉は半勃起状態の男性器１の亀頭部を除き首部からか根元までコイル巻に筒状に巻き重ねて当該男根を勃起状態時の大きさ、固さ、形状に形成、保持し、女性との交接可能状態とすることを目的とする紐状の男性器勃起状態形成具により、未勃起状態にある男性器をコイル巻に巻重ね、当該男性器をその勃起状態の形状に形成保持し、目的、好みによりコンドーム、軟質素材からなる筒状、弾性形状カバーを併用して交接をする。【選択図】図１
2010155037.tif 000002
【特許請求の範囲】
【請求項１】
未勃起状態叉は半勃起状態の男性器において、当該男性器の亀頭部を除き亀頭冠の下から根部まで体部全体をコイル巻で筒状に巻き重ねて当該男性器を完全勃起状態時の大きさ、形状に形成、保持し、女性との交接可能状態とすることを目的とする紐状の男性器勃起状態形成保持具。
【請求項２】
木綿・絹または合成樹脂繊維等の紐のみからなる請求項１の男性器勃起状態形成保持具
【請求項３】
木綿叉絹または合成樹脂繊維等の紐を軟質樹脂で被覆してなる請求項１の男性器勃起状態形成保持具
【請求項４】
請求項１，２、３の形成保持具を使用して勃起状態に形成された男性器において亀頭部を除きコイル巻に筒状に巻きつけた形成保持具の装着部分に嵌め覆い、勃起状態形成保持をより確実にするとともに、主として交接相手の女性器対する刺激を緩和し、より肉質に近い感触を与えることを目的とする軟質素材からなる両端開口の筒状のカバー
【請求項５】
請求項１，２の補助具を使用して勃起状態に形成された男性器の亀頭部を含み形成された男性器全体に嵌め覆い、勃起状態形成保持をより確実にするとともに、交接相手の女性器対する刺激を緩和し、より肉質に近い感触を与えること及び、男性器亀頭部に加わる刺激を調整緩和することを目的とする軟質素材からなる男性器形状のカバー
【発明の詳細な説明】
【技術分野】
【０００１】  本発明は、勃起不能、若しくは勃起不全の男性器に装着使用し、当該男性器を女性の膣内へ挿入し、性行為可能状態に形成保持する技術に関する。
【背景技術】
【０００２】  従来、病気、ストレス、加齢、早漏、等様々な原因でインポテンツ・ＥＤ（Ｅｒｅｃｔｉｌｅ  Ｄｙｓｆｕｎｃｔｉｏｎ、勃起不全）の男性器に装着若しくは作用させ、当該男性器を女性の膣内への挿入可能状態に勃起させること、および勃起状態を維持することを企図する所謂、男性器補助具類の先行技術として下記の諸技術があり、その技術の一部はＥＤ患者の治療の手段としても活用されている。
【先行技術文献】
【特許文献】
【０００３】
【特許文献１】特開昭６０−１５３８５７
【特許文献２】実開昭６３−５９６１５
【特許文献３】特公平２−３７１８０
【特許文献４】特公平４−１０８１８（登録第１８３３２８６号）
【特許文献５】特開平８−１０２７９
【特許文献６】特開平９−８４８１５
【特許文献７】特開２００２−２８２２９１
【特許文献８】特開２００３−８８５４１
【特許文献９】特開２００４−３５７８８７
【特許文献１０】特開平５−１０３８０５
【特許文献１１】特開平７−６７９０２（登録第２６１３５４７号）
【特許文献１２】特開平１０−２１１２２６
【特許文献１３】特開平２００３−１０２７５７
【特許文献１４】特開２００４−９７３３７
【発明の概要】
【発明が解決しようとする課題】
【０００４】  男女の性行為とは、まず、男性器が性的興奮等によって勃起し、同時に性的興奮によって受け入れ可能状態となった女性器内に挿入し、ピストン運動と通称される性交運動の効果で男女両者がオーガスムスを達成するための行為である。すなわち、性行為は、まず、男性器が性交可能な状態に勃起すること、そして、その勃起状態が男女がオーガスムスを達成するまで維持されることが必要である。【０００５】  そこで、従来技術をみれば、まず勃起不全にある男性器を性交可能な状態に勃起させる効果を主たる狙いとする技術として、男性器を密閉シリンダー内に入れ負圧で男性器海綿体に血液を呼び込み勃起させる仕組みの補助具が普及しており、治療の手段としても活用されている。また一部、会陰部を刺激して自力勃起させることを狙いとするものも出願されている。（特許文献９）【０００６】  次に自力で性交可能な状態に勃起した、あるいは勃起補助具等で勃起させた男性器を補助し、その勃起状態を維持する効果を主たる狙いとするものには、弾性のリングを男性器の根部を嵌めて圧迫し、海綿体からの血液の帰流を阻止して、勃起状態を維持するもの（特許文献５が主流である。他に、男性器の本体を幅広帯状のベルトを巻いて（特許文献７，６，９）、あるいは筒状カバーをはめて補助するもの（特許文献１，２，３，４，５）がある、男性リングを用いる技術は各種市販されており、ＥＤ治療の現場でも前述の負圧式勃起補助技術と併用して使用されている。【０００７】  その他、諸々の精神的あるいは、気質的原因により勃起すること、させることが期待出来ない状態にある男性器に装着してする模型男性器の類（特許文献１０，１１，１２，１３）が種々製品化されている。【０００８】  以上、前掲の従来技術は、いずれも、完全に勃起能力を失った男性器（特に気質的原因により）には使用できず、性的刺激等によって相当程度勃起する能力を持ったあるいは、残っている男性器でなければ使用できない。と言う共通の欠点がある。【０００９】  また勃起状態を維持するための男性リング等男性の根部を締め付けるものは、圧迫部が括れ、男性器が不安定になり、性交運動による受ける圧迫部の負担が大きく、射精も困難である。また、強い締め付けによって男性器が完全なうっ血状態になるので長時間の使用は危険である。【００１０】  リングに寄らない他の技術は、いずれも血液の流失阻止効果が弱く、勃起状態の維持効果が不十分である。射精後、急速に萎えていく男性器を勃起状態を保持する力が十分でない。また、ベルトや筒状のカバーで男性器本体部を覆って補助しようとするものは、長短、太さなど大きさに個人差のある男性器にぴったりヒットさせること難しく、それがため性交運動中に外れたり、ずれてしまい。また射精を終えて萎えていく男性器の勃起状態を維持する能力ほとんどない。【００１１】  模造陰茎を被せる。嵌めるものは、装着に工夫必要なことの他、男性器が完全に包まれるので、男性は性交運動で女性気から刺激を受けることが出来ず、男性自身のもので交接しているという感覚が得られない。  また、タイミングを合わせて男女一緒にオーガスムスに達することはまず不可能である。従って、この類の模型男性器は、もはや、補助具とはいえず、しいて言えば、代用具である。【００１２】  本発明は、以上の先行技術の種々の欠点を解消し、ストレス、ストレス等心因性だけでなく、加齢、病気など器質性の勃起不能、勃起不全にあって自力で交接できない全ての男性器に対しても、また、男性器の大小、個性差にかかわらず使用でき、しかも、本発明の形成具を装着している間は完全な勃起状態をいつまでも形成保持して、あたかも、正常勃起者の交接と同様の感覚と能力を持って、女性との所望の交接を達成することを可能とする男性器勃起状態形成保持具を提供するものである。
【課題を解決するための手段】
【００１３】  本発明は、上記課題を解決するため、以下のごとき手段を用いる。
未勃起叉は半勃起状態の男性性器の亀頭の首部からか根元までコイル巻きで筒状に巻き重ねて当該男根を勃起状態時の大きさ、固さ、形状に形成、保持し、女性との交接可能状態とすることを目的とする紐状の男性性器勃起形成維持具であり、以下のごとく使用する。【００１４】  まず、紐状形成具の端末を男性器の根元部に１０ｃｍ程度残し、男性器を左手で支え伸ばしながら亀頭の真下、首部から巻き始め、男性器を伸ばしながら本体部を根元部まで適宜の強さでコイル巻に巻き重ねてゆく。根元部まで達したら、根元部の上部で結ぶ。（図２の状態）次いで、男性器を上向きに形成すると同時に、男性器を根元でしっかり支えるために、形成具を上部は結び目の前部付近に重ね、下部すなわち陰嚢上部に向けてのみ形成具がコイル状に重なるように巻進め、しっかりと巻き終えたら形成具の残部を結ぶ、差し込む等により端末処理して、最後に全体の形をと整えて、形成を完了する。
そして、交接の目的、好みに応じて、コンドーム、請求項４、５のカバーを覆い被せ、適宜、ゼリー等潤滑剤を塗って交接する。【００１５】  請求項２の形成具を用いるとき叉は、請求項３の形成具で用いるが避妊しなければならない時は全体にコンドームを被せ、ゼリー等を塗り、女性性器に挿入、交接する。【００１６】  妊娠を望む交接で女性の膣内に射精をしたい場合で、請求項２の形成具を用いる時は、コンドームの先の精液溜め部分を切り取り交接する。請求項４の形成具カバーを用いて交接する場合は、コンドームを用いないで、交接する。そしていずれの場合も、ゼリー等を適宜使用する。【００１７】  男性が射精を望まない場合や、射精後もさらに交接を、続ける場合は、男性器、特に亀頭部への刺激を緩和させるために請求項５の亀頭部を含む形成された男性器全体を包むカバーを用いる。
【発明を実施するための手段】
【００１８】  本発明なる男性器勃起状態形成保持具において、請求項２の紐状形成具は木綿、絹、合成樹脂繊維を撚り、編み等により作成された紐のみから成るものの場合、その断面太さは５〜７ｍｍ．程度で、６ｍｍ．前後を標準とする。
【００１９】  請求項３のものは、断面太さ３〜５ｍｍ．の紐を芯材として、生ゴム、シリコンゴム、エラストマ、ラテックス等軟質素材を被覆して、５〜７ｍｍ．程度太さにする。
【００２０】  長さは、請求項２、３とも３ｍ．から５ｍ．程度とする。
【００２１】  請求項４，５のカバーは、適度の柔軟性、伸展性を有し、出来るだけ肉質感覚を軟質素材で作成する。大きさは、未使用状態で内径で３ｃｍ前後、厚さは５ミリ〜１ｍｍ．程度、長さは請求項４の筒状カバーは１２ｃｍ前後、請求項５の男性器形状カバーで１６ｃｍ程度とする。
形状は、前方（亀頭部側）の径が小さく、後方（根元部）の径がやや広い筒状形にするか、同径の円筒形にする。そして上向き形成された男性器の根元下部を包めるように根元部分を斜めにカットされた形状とする。（図４，５）
【発明の効果】
【００２２】  本発明の従来技術と異なる、最大の効果は、心因性、器質性、原因の如何を問わず、完全に勃起能力を無い如何なる男性器でも使用できることである。本発明は勃起能力を補助するのでなく、器質的に完全に勃起能力を回復できない男性器をも勃起状態の形状に形作り、これを保持続けることによって正常勃起状態時における場合と同様の交接を可能とすることである。それゆえに本発明は「補助具」でなく「男性器勃起状態形成保持具」である。
【００２３】  本発明なる男性器勃起状態形成保持具は、一応勃起はするが不完全で挿入できるまでの堅さにならない状態の男性性器だけでなく、全く勃起をしない男性性器、射精を完了し、萎えていく男性器であっても完全に性交可能状態に保持し、望むだけ交接を続けることができる。すなわち、射精を終えて男性器が萎えていこうとしても、保持具はしっかりと勃起形状を保持するので、そのまま性交運動を続けることが出来る。男性が女性より早く射精をしてしまってもそのまま交接を継続し、女性がオーガスムスに達するまで交接を続けることが出来る。
【００２４】  本発明なる男性器勃起状態形成保持具を用いて形成された男性器は、男性器の完全勃起状態と同等以上の堅さ、強さ、しなやかさを持っており、激しいピストン運動、体位変換など２にもしっかりと勃起状態の形状を保持し、充実した交接を堪能することが出来る。
【００２５】  また、請求項５のカバーを使用する場合を除き、亀頭部が形成具から露出しているので、ピストン運動により男性器は女性の膣壁、膣の奥、子宮口付近に衝突し相互に刺激を受けることにより、正常な勃起状態による通常の交接と類似したな交接感覚、充実感を持って交接することが出来る。
【００２６】  男性器はコイル状に巻きつけることにより、通常より、尿道、射精管が狭められことになるが、コイル巻きの強さを上手く調整すれば、ほとんど尿道、射精管が狭められることなく形成することが出来るので、男性はオーガスムスとともにそのまま射精することも、装着したまま小用も出来る。
【００２７】  したがって、女性の受胎を望む交接の場合は請求項１、または、請求項３の先端開放のカバーを使用して勃起状態を形成し、どちらの場合もコンドームを嵌めずに交接することにより、人口受精などに寄らず、直接女性の膣内に射精し、受胎妊娠を期待することが出来る。
【００２８】  また、男女がオーガスムスに至り、性交が完了した後もさらに性交を続けたい場合、長時間続ける場合は、適宜形成具を緩め、叉は巻きなおしながら続ける。
この様な場合、請求項５のカバーを併用装着すれば、男性器の負担を緩和できるので、長時間の性交運動に耐えることができる。
【００２９】  前述のように、本発明の男性器勃起状態形成保持具は、全く勃起しない男性器に使用できる。所謂、性的不能者でも、健常者の様に性行為することが出来るので、子供が欲しいが夫が所謂インポテンツで性行為ができないカップルの場合でも、人口受精という方法によらず直接性交により女性の膣内に射精し、受胎に繋げることができる。
【００３０】  本発明の勃起状態形成保持具を持いると如何なる場合でも、必ず性交が可能である。
このことにより、ストレス等精神的要因で、ＥＤ症状にある場合など、本発明があれば、いつでも性行為ができるという安心感から自信を取り戻し、そして補助的、担保的に使用を重ねることによってＥＤ症状の改善効果を期待することができる。
【００３１】  また、本形成具は、女性により強い刺激と喜びを与える意図をもって女性の好みにも応じ太めに播いたり、巻き重ねたり自在に大きさ等を調整できる。また、相手の女性器サイズに比べ、短小な男性器の場合は、例えば、請求項５の発明なる男性器形状カバーを併用装着する場合に、カバー内に先端に適宜詰め物を入れるなどの工夫によって、男性器の太さ、長さを所望の適合大きさに増大して形成することもできる。
【００３２】  すなわち、本発明なる勃起状態形成保持具を持いることにより、ＥＤ症状にある場合、そうでない場合も全て、質の高い、満足度の高い性生活を楽しむことが出来る
【図面の簡単な説明】
【図１】未勃起状態の男性器を勃起状態に形成した状態図
【図２】勃起状態の男性器を補助、増大化等のための使用状態図
【図３】本発明請求項３の紐状形成具の断面図
【図４】本発明請求項４発明、筒状カバーの斜視図
【図５】本発明請求項５発明、男性器形状カバーの斜視図
【符号の説明】          １  男性器
２  紐状男性器勃起状態形成具
３  陰嚢
４  結び目
５  下腹部
６  芯紐
７  軟質素材被服
【図１】
2010155037.tif 000003
【図２】
2010155037.tif 000004
【図３】
2010155037.tif 000005
【図４】
2010155037.tif 000006
【図５】
2010155037.tif 000007